(57)【要約】【課題】２つの粘着テープにおいて連続した粘着面を形成する簡易な接続を提供する。【解決手段】粘着テープは、一方の面に粘着層を有する。前記粘着テープは、その始端又は終端に、他の粘着テープに接続するための接続テープを有し、前記接続テープは、前記粘着テープの粘着層に接着する接着層を一方の面に、また他方の面に粘着層をそれぞれ備え、さらに、前記始端又は前記終端から延在する延在部を有する。前記粘着テープによれば、その始端又は終端に設けられた接続テープにより、他の粘着テープに容易に接続することができる。粘着テープの粘着層に接続テープの接着層が接着されており、粘着テープの基材に接着するよりも強固に接着される。また、２つの粘着テープを接続した場合に、両粘着テープの粘着層と接続テープの粘着層が連続した粘着面を形成する。【選択図】図７
2014167065.tif 000002
【特許請求の範囲】
【請求項１】
一方の面に粘着層を有する粘着テープであって、
その始端又は終端に、他の粘着テープに接続するための接続テープを有し、
前記接続テープは、前記粘着テープの粘着層に接着する接着層を一方の面に、また他方の面に粘着層をそれぞれ備え、さらに、前記始端又は前記終端から延在する延在部を有する、粘着テープ。
【請求項２】
さらに、少なくとも前記接続テープの前記延在部の前記接着層を覆う剥離材を備える、請求項１に記載の粘着テープ。
【請求項３】
さらに、前記接続テープの前記粘着層を覆う剥離材を備える、請求項２に記載の粘着テープ。
【請求項４】
前記粘着層を覆う前記剥離材と前記接着層を覆う剥離材とは連続している、請求項３に記載の粘着テープ。
【請求項５】
前記接続テープの前記粘着層と前記粘着テープの前記粘着層とは同一の材料である、請求項１〜４のいずれか一項に記載の粘着テープ。
【請求項６】
請求項１〜５のいずれか一項に記載の粘着テープにより多数の卵パックを封緘する、卵パックの封緘装置。
【請求項７】
封緘テープにより封緘された卵パックであって、
前記封緘テープは、第１の粘着テープと第２の粘着テープと、前記第１及び第２の粘着テープを接続する接続テープとを有し、
前記接続テープは、一方の面に接着層を、他方の面に粘着層を備え、
前記接着層は、前記第１の粘着テープの粘着面と前記第２の粘着テープの粘着面の両方に接着し、第１及び第２の粘着テープ並びに接続テープの粘着層は連続した粘着面を形成する、卵パック。
【請求項８】
前記第１及び第２の粘着テープは、それぞれの端面を突き合わせた状態で前記接続テープにより接続されている、請求項７に記載の卵パック。
【請求項９】
接続テープにより第１及び第２の粘着テープを接続するテープの接続方法であって、
前記第１の粘着テープは、一方の面に粘着層を有し、
前記接続テープは、前記第１の粘着テープの粘着層に接着する接着層を一方の面に、粘着層を他方の面にそれぞれ備え、前記第１の粘着テープの始端又は終端に取り付けらており、前記第１の粘着テープの始端又は終端から延在する延在部を有し、
前記接続テープの前記延在部の前記接着層を前記第２の粘着テープの粘着層に接着する第１のステップを含む、テープの接続方法。
【請求項１０】
前記接続テープの前記延在部の前記接着層は、剥離材に覆われており、前記第１のステップに先駆けて前記剥離材を剥離する第２のステップを含む、請求項９に記載の接続方法。
【発明の詳細な説明】
【技術分野】
【０００１】
本発明は、接続部を有する粘着テープ、そのテープの接続方法、及び接続部を有する粘着テープにより封緘された卵パックに関し、詳細には、連続した粘着面を形成するための接続部を備える粘着テープ、その接続部で２つの粘着テープを接続する粘着テープの接続方法、及び接続部を有する粘着テープにより封緘された卵パックに関する。
【背景技術】
【０００２】
一般に、封書、容器の封緘や、商品に貼付するラベルとして粘着テープが用いられる。このような粘着テープは、テープの外形を模る薄い基材と、基材の一方の面に設けられた粘着層とを備える。基材層は、テープの強度、形状、用途等に適合するように、粘着層は、貼り付けられる対象物に適合するように、それぞれ、種々の材料により製造される。
【０００３】
粘着テープは、一般に、リールやドラムに粘着層を内側にして巻かれ、テープリールやテープドラムを形成する。例えば、卵の収容容器（卵パック）の封緘に用いられる封緘用の粘着テープも、厚紙の円筒に多層で巻かれ、テープドラムとして市場に流通する。
【０００４】
テープリールやテープドラムとして流通する粘着テープは、その目的に応じて、自動化された装置に取り付けられ、連続して貼付、封緘等される。そのように自動化された粘着テープを送り出す送出機構を備えた装置として、例えば、特許文献１に記載の合成樹脂製包装容器の封緘装置がある。
【０００５】
この封緘装置によれば、リール（ドラム）から粘着テープが、案内ガイド等の所定の経路を経由して、封緘機構である押圧ローラに供給され、押圧ローラにより卵パックに貼付される。卵パックは、矩形の平面形状を有し、側周部の一辺をヒンジとして反対側の一辺を開閉自在に形成されており、この反対側の一辺に粘着テープを貼り付けることにより封緘される。
【０００６】
このとき、粘着テープは、前記反対側の一辺に沿って連続的に卵パックに貼付される。粘着テープが貼付されることで、卵パックは、開閉自在の一辺が閉じた状態で固定され、封緘される。この封緘装置によれば、多数の卵パックを順次、自動で封緘することができる。
【０００７】
ところで、この封緘装置では、多数の卵パックを封緘することによりドラムに巻かれた粘着テープが尽きると、他の粘着テープドラムの取り付け、すなわちテープドラムの交換作業が必要となる。この交換作業では、取り替えた粘着テープドラムの粘着テープを再び前記案内ガイド等の所定の経路を通して、押圧ローラまで粘着テープを案内しなければならず、交換作業が迂遠である。
【０００８】
このようなテープの交換作業を容易にすべく、交換前のテープの終端と、交換後のテープの始端を接続して、連続的にテープを供給する方法が考えられている（特許文献２）。この方法では、交換前の粘着テープ（接着剤テープ）の終端と交換後の粘着テープの始端とを、接続テープにより接続することで、テープを継続的に供給できる。
【０００９】
ただし、特許文献２では、少なくとも接続テープの一方の面は、テープの基材面に接着しており、両テープの粘着層同士を接続テープにより接続することは記載されていない。これは、特許文献２の接続テープが基材面に対して接着力の強いテープを提供することを目的としているためである。
【００１０】
そもそも、特許文献２に記載の接着剤テープは、電子部品、回路基板等の基板間接続の分野に関するもので、接着剤層（粘着テープの粘着層に対応する）に金属フィラーを含有させ、回路基板等の電極間接続を達成するものである。したがって、粘着テープの粘着層側に接続テープを接着することは、接続部では電極間接続が不可能になるため、予定されていない。
【先行技術文献】
【特許文献】
【００１１】
【特許文献１】特開２０１０−３６９５７
【特許文献２】特開２００４−２０２７３８
【発明の概要】
【発明が解決しようとする課題】
【００１２】
しかし、たとえば、卵パックを封緘する粘着テープでは、接続部が卵パックにかかっても、特段の問題は生じず、粘着テープを連続して使用したほうが封緘の費用を安価にでき、作業効率も向上する。よって、粘着テープの接続部においても粘着面を連続させたい要求がある。
【００１３】
以上のような理由から、２つの粘着テープにおいて連続した粘着面を形成する簡易な接続が求められている。
【課題を解決するための手段】
【００１４】
本発明に係る粘着テープは、一方の面に粘着層を有する。前記粘着テープは、その始端又は終端に、他の粘着テープに接続するための接続テープを有し、前記接続テープは、前記粘着テープの粘着層に接着する接着層を一方の面に、また他方の面に粘着層をそれぞれ備え、さらに、前記始端又は前記終端から延在する延在部を有する。
【００１５】
本発明に係る粘着テープによれば、その始端又は終端に設けられた接続テープにより、他の粘着テープに容易に接続することができる。また、この接続テープは、一方の面に接着層、他方の面に粘着層を備える、いわゆる両面テープと同様の構造である。この接続テープの接着層が粘着テープの粘着層に接着されており、２つの粘着テープを接続するときに、他の粘着テープの粘着層も接続テープの接着層に接着される。接着層は、粘着テープの粘着層に接着することにより、粘着テープの基材に接着するよりも強固に接着される。したがって、２つの粘着テープの接続を強固にすることができる。
【００１６】
また、２つの粘着テープを接続した場合に、両粘着テープの粘着層と接続テープの粘着層が連続した粘着面を形成する。これにより、接続テープを含む粘着テープの接続部も粘着テープとして使用することができる。
【００１７】
前記粘着テープは、少なくとも前記接続テープの前記延在部の前記接着層を覆う剥離材を備えていてもよい。この粘着テープによれば、剥離材が、接着層へ異物が付着することを防止できる。
【００１８】
さらに、前記接続テープの前記粘着層を覆う剥離材を備え、前記粘着層を覆う前記剥離材と前記接着層を覆う剥離材とは連続していてもよい。そのようにすれば、接着層と粘着層とを覆う剥離材を連続して剥がすことができる。また、接続テープの粘着層に剥離材を設けると、ドラムに巻かれた粘着テープの始端又は終端を取り出す際に、めくり部として機能する。
【００１９】
前記接続テープの前記粘着層と前記接着層とは同一の材料であってもよい。また、前記粘着テープは、卵パックの封緘に用いられてもよい。
【００２０】
本発明に係る卵パックは、封緘テープにより封緘される。前記卵パックは、前記封緘テープは、第１の粘着テープと第２の粘着テープと、前記第１及び第２の粘着テープを接続する接続テープとを有し、前記接続テープは、一方の面に接着層を、他方の面に粘着層を備え、前記接着層は、前記第１の粘着テープの粘着面と前記第２の粘着テープの粘着面の両方に接着し、第１及び第２の粘着テープ並びに接続テープの粘着層は連続した粘着面を形成する。
【００２１】
本発明に係る卵パックによれば、卵パックを封緘する粘着テープが、２つの粘着テープの粘着層と接続テープとから形成され、これらが連続した粘着面を形成している。したがって、粘着テープの接続部を有する粘着テープによって卵パックを封緘することにより、粘着テープの交換時の粘着テープのロスを無くし、卵パックの封緘作業を効率的に行うことができる。
【００２２】
また、前記第１及び第２の粘着テープは、それぞれの端面を突き合わせた状態で前記接続テープにより接続されていてもよい。このようにすれば、粘着テープを重ねて接続する場合に比較して、粘着テープの接続部の厚さを小さくすることができる。
【００２３】
本発明に係るテープの接続方法によれば、接続テープにより第１及び第２の粘着テープを接続する。前記第１の粘着テープは、一方の面に粘着層を有し、前記接続テープは、前記第１の粘着テープの粘着層に接着する接着層を一方の面に、粘着層を他方の面にそれぞれ備え、前記第１の粘着テープの始端又は終端に取り付けらており、前記第１の粘着テープの始端又は終端から延在する延在部を有する。前記接続方法は、前記接続テープの前記延在部の前記接着層を前記第２の粘着テープの粘着層に接着する第１のステップを含む。
【００２４】
本発明に係るテープの接続方法によれば、第１の粘着テープの始端又は終端に設けられた接続テープにより、第２の粘着テープに容易に接続することができる。また、この接続テープは、一方の面に接着層、他方の面に粘着層を備える、いわゆる両面テープと同様の構造である。第１の粘着テープの粘着層に接続テープの接着層が接着されており、第１及び第２の粘着テープを接続するときに、第２の粘着テープの粘着層も接続テープの接着層に接着される。接着層は、粘着テープの粘着層に接着することにより、粘着テープの基材に接着するよりも強固に接着される。したがって、２つの粘着テープの接続を強固にすることができる。
【００２５】
また、２つの粘着テープを接続した場合に、両粘着テープの粘着層と接続テープの粘着層が連続した粘着面を形成する。これにより、接続テープを含む粘着テープの接続部も粘着テープとして使用することができる。
【００２６】
前記接続テープの前記延在部の前記接着層は、剥離材に覆われており、前記第１のステップに先駆けて前記剥離材を剥離する第２のステップを含むことができる。粘着テープの接続まで接着層が剥離材に覆われているため、接着層へ異物が付着することを防止できる。
【発明の効果】
【００２７】
２つの粘着テープにおいて連続した粘着面を形成する簡易な接続を提供する。
【図面の簡単な説明】
【００２８】
【図１】本発明に係る粘着テープを示す斜視図である。
【図２】図１の粘着テープの始端を拡大して示す拡大斜視図である。
【図３】図１の粘着テープの始端を拡大して示す拡大側面図である。
【図４】本発明に係る、２つの粘着テープの接続方法の概略を示す概略斜視図である。
【図５】本発明に係る、２つの粘着テープの接続方法の概略を示す側面図である。
【図６】図５に続く、２つの粘着テープの接続方法の概略を示す側面図である。
【図７】図６に続く、２つの粘着テープの接続方法の概略を示す側面図である。
【図８】本発明に係る、２つの粘着テープの他の接続状態を拡大して示す拡大側面図である。
【図９】本発明に係る粘着テープにより卵パックを封緘する封緘装置を示す平面図である。
【図１０】本発明に係る粘着テープにより封緘される卵パックを示す正面図であって、（Ａ）は、開いた状態の卵パックを示す卵パックの正面図であり、（Ｂ）は、封緘された状態の卵パックを示す正面図であり、（Ｃ）は、（Ｂ）の卵パックの一部を拡大して示す拡大正面図である。
【図１１】本発明に係る粘着テープにより封緘された卵パックを示す平面図である。
【図１２】粘着テープの接続状態を示す平面図であり、（Ａ）は、本発明に係る粘着テープが、粘着面から接続テープにより接続された状態を示す平面図であり、（Ｂ）は、粘着テープが基材面から他の接続テープにより接続された状態を示す平面図である。
【図１３】本発明に係る粘着テープに、他の剥離材を設けた状態を示す拡大側面図である。
【図１４】本発明に係る粘着テープに、めくり部を有する剥離材を設けた状態を示す拡大側面図である。
【図１５】本発明に係る粘着テープを拡大して示す拡大平面図である。
【発明を実施するための形態】
【００２９】
本発明の実施の形態に係る粘着テープ、この粘着テープを用いた粘着テープの接続方法について説明する。以下の説明では、卵パックの封緘に用いる粘着テープ及びその接続方法について、好適な実施形態を、図面を用いて説明する。しかし、本発明に係る粘着テープ及び接続方法は、他の用途に用いる粘着テープ及びその接続方法にも利用することができる。
【００３０】
先ず、本発明に係る粘着テープについて説明する。粘着テープ１００は、図１に示すように、円柱状の筒状芯体１０２に多層に巻かれ（例えば、特開２０００−４４８９９参照）、粘着テープドラムＤ１を構成している。粘着テープ１００は、一方の面に粘着層１０４と粘着層１０４を設けられた基材層１０６とを有し（図３参照）、粘着層１０４が内側になるように巻かれている。
【００３１】
粘着テープ１００は多層に巻かれるため、粘着テープ１００の基材層１０６の外側に重ねられる粘着層１０４は、粘着テープドラムの送り出しが円滑となるように基材層１０６から容易に剥脱できる材料を選択される。また、筒状芯体１０２に巻かれた粘着テープの始端１００ａには、他の粘着テープドラムＤ２の粘着テープ２００に接続するための接続部３００が設けられている。
【００３２】
接続部３００は、図２に示すように、粘着テープ１００の始端１００ａに接続テープ３０２が接着されることにより形成されている。接続テープ３０２は、粘着テープ１００と同一の幅寸法を有し、粘着テープ１００と幅方向の位置を一致させた状態で粘着テープ１００に接着されている。
【００３３】
接続テープ３０２は、図３に示すように、基材層３０４と、基材層３０４の一方の面に設けられた接着層３０６と、他方の面に設けられた粘着層３０８とを備え、いわゆる両面テープと同様の構造となる。接続テープ３０２は、接着層３０６を粘着テープ１００の粘着層３０８に接着されており、粘着テープ１００に貼り付けられた貼付部３０２ａと、粘着テープ１００の始端１００ａから延在する延在部３０２ｂを有する。
【００３４】
接続部３００は、粘着層３０８の全面を覆う剥離材３１０と、延在部３０２ｂの接着層３０６を覆う剥離材３１２を備える。剥離材３１０，３１２は、作業者の作業により各層３０６，３０８から容易に剥離可能にされている。剥離材３１０，３１２が各層３０６，３０８を覆うことにより、接続テープ３０２の粘着層３０８の粘着力又は延在部３０２ｂの接着層３０６の接着力の低下又は異物の付着を防止することができる。図２及び図３において、粘着テープ１００、接続テープ３０２及び剥離材３１０，３１２は、それぞれ厚さ寸法を強調して図示されている。
【００３５】
接続テープ３０２の接着層３０６は、粘着テープ１００の粘着層１０４に接着するため、粘着テープ１００の粘着層１０４に対して強い接着力を有する材料が選定される。接続テープ３０２の接着層３０６と粘着層３０８とを同じ材料で形成してもよい。また、粘着テープ１００の粘着層１０４と接続テープ３０２の粘着層３０６又は接着層３０８とを同一の材料で形成してもよい。
【００３６】
接続部３００は、粘着テープ１００の終端（図示しない）に設けられていてもよい。この場合、粘着テープドラムＤ１は、厚紙円筒１０２に巻かれる粘着テープ１００の最も内側に接続部３００が設けられることになる。接続部３００が前記終端に設けられた場合であっても、接続テープ３０２は、剥離材３１０，３１２を設けられてもよい。
【００３７】
本発明の実施の形態に係る粘着テープ１００は、その始端１００ａ又は前記終端に接続テープ３０２を設けられているため、接続テープ３０２の延在部３０２ｂを他の粘着テープ２００に接続することで粘着テープ１００の接続が容易になる。また、接続テープ３０２が両面テープと同様の構造を有し、粘着テープ１００の粘着層１０４に一方の面を接着させることにより、粘着テープ１００の粘着層１０４と接続テープ３０２の粘着層３０８とが、連続する粘着面を形成している。
【００３８】
次に、本発明に係る粘着テープの接続方法として、一の粘着テープドラムＤ１の粘着テープ１００の始端１００ａと、他の粘着テープドラムＤ２の粘着テープ２００の終端２００ｂとを接続する接続方法について説明する。本実施の形態において、一の粘着テープドラムＤ１と他の粘着テープドラムＤ２は、同一のものである。しかし、一の粘着テープドラムと他の粘着テープドラムは異なるテープドラムであってもよい。
【００３９】
本発明の実施の形態にかかる粘着テープの接続方法では、図４に示すように、一の粘着テープドラムＤ１の粘着テープ（一の粘着テープ）１００の始端１００ａと他の粘着テープドラムＤ２の粘着テープ（他の粘着テープ）２００の終端２００ｂとが接続テープ３０２により接続される。接続テープ３０２は、一の粘着テープ１００の始端１００ａに設けられている。
【００４０】
粘着テープ１００，２００は、それぞれ、基材層１０６，２０６と基材層に設けられた粘着層１０４，２０４とを備える（図５〜図７参照）。先ず、接続テープ３０２は、粘着層３０８と延在部３０２ｂの接着層３０６とのそれぞれに剥離材３１０，３１２を備え、図５に示すように、接続に先駆けて剥離材３１２が剥離される（Ｓ１）。
【００４１】
次に、図６に示すように、接続テープ３０２は、貼付部３０２ａを一の粘着テープ１００の始端１００ａに接着されており、剥離材３１２の剥離された延在部３０２ｂを他の粘着テープ２００の終端２００ｂに接着させる（Ｓ２）。これにより、一の粘着テープ１００と他の粘着テープ２００とが接続される。一の粘着テープ１００の始端１００ａと他の粘着テープ２００の終端２００ｂとは、端面を相互に突き合わせ、幅方向の位置を一致させた状態で接続テープ３００により接続される。
【００４２】
次に、図７に示すように、一の粘着テープ１００と他の粘着テープ２００とを接続した接続テープ３０２の粘着層３０８に設けられた剥離材３１０を剥離する（Ｓ３）。接続テープ３０２の粘着層３０８に設けられた剥離材３１０は、延在部３０２ｂの接着層３０６を他の粘着テープ２００に接着する前に剥離されてもよい。例えば、接着層３０６の剥離材３１２と粘着層３０８の剥離材３１０とを一体的に連続して製作している場合に、両剥離材３１０，３１２は一連の流れで剥離することができる。図５〜７において、粘着テープ、接続テープ及び剥離材は、それぞれ厚さ寸法を強調して図示されている。
【００４３】
以上のように、本発明に係る粘着テープの接続方法では、図５〜図７の流れで行われる。この粘着テープの接続方法では、各粘着テープ１００，２００の粘着層１０４，２０４と、接続テープ３０２の接着層３０６とが接着されるため、一の粘着テープ１００及び他の粘着テープ２００の粘着層１０４，２０４と、接続テープ３０２の粘着層３０８は、連続した粘着面を形成する。各粘着テープ１００，２００と接着テープ２２とが同一の幅寸法を有し、幅方向の位置を一致させているため、一の粘着テープ１００と他の粘着テープ２００とは連続した１つの粘着テープのようになる。
【００４４】
本実施の形態において、一の粘着テープ１００の始端１００ａと他の粘着テープ２００の終端２００ｂとは、相互に突き合わされた状態で接続テープにより接続されている。しかし、図８に示すように、接続テープ３００は、一の粘着テープ１００の基材層１０６に他の粘着テープ２００の粘着層２０４を重ね合わせた状態で一の粘着テープと他の粘着テープとを接続してもよい。このように接続しても粘着面を連続させることができる。
【００４５】
次に、本発明に係る粘着テープを用いた卵パックの封緘について説明する。本実施の形態において、卵パック１０は、図９に示すように、封緘装置１２により封緘される。封緘装置１２は、従来よく知られるように、自動で卵パックの封緘を行う（例えば、特開２０１０−１７９９３６号公報、特開２０１０−３６９５７号公報参照）。
【００４６】
封緘装置１２は、粘着テープドラムＤ２を取り付けられており、粘着テープドラムＤ２から粘着テープ２００を送りだす送出機構１６と、封緘される卵パック１０を矢印ａの向きに搬送する搬送機構１８と、送り出された粘着テープ２００を搬送機構１８まで案内する案内経路２０と、卵パック１０に粘着テープ２００を貼付し封緘する封緘機構２２とを備える。
【００４７】
封緘される卵パック１０は、図１０に示すように、一般的に透明の合成樹脂を材料とし、卵Ｅが収容される、平面（すなわち、上方から見て）が矩形の本体１０ａと、卵が収容された本体１０ａに被される、平面が本体と略同一の蓋体１０ｂと、本体１０ａと蓋体１０ｂとの平面の位置を揃え（図９参照）、本体１０ａと蓋体１０ｂとを前記矩形の一側において一体的に連結し、ヒンジ構造を提供するヒンジ部１０ｃとを備える。ヒンジ部１０ｃと反対側の一側は、開閉自在の自由端部１０ｄとされている。
【００４８】
卵パック１０は、封緘装置１２の搬送機構１８を搬送されるとき、その搬送方向にヒンジ部１０ｃ及び自由端部１０ｄを沿わせ、封緘機構２２を自由端部１０ｄが通過するように搬送される（図９参照）。自由端部１０ｄの本体１０ａと蓋体１０ｂとを重ね合わせた状態で、封緘機構２２により粘着テープ２００（又は１００）が自由端部１０ｄに貼付される。
【００４９】
粘着テープ２００は、図１０（ｃ）に示すように、自由端部１０ｄの伸びる方向（すなわち、卵パックの搬送方向）に沿って折り返され、自由端部１０ｄの蓋体１０ｂと自由端部１０ｄの本体１０ａとを挟み込むように貼付されることにより、卵パック１０を封緘する。このとき、粘着テープ２００は、その延在方向に沿って略中央で折り返されて貼付される。
【００５０】
封緘装置１２は、順次、搬送機構１８を搬送される多数の卵パック１０を封緘する。卵パック１０が順次封緘される途中で、粘着テープドラムＤ２の粘着テープ２００が終了間近になると、粘着テープドラムＤ２の一の粘着テープ２００を案内経路２０に残したまま、粘着テープドラムＤの交換作業が行われる。
【００５１】
この交換作業では、粘着テープドラムＤ２が送出機構１６から取り外され、粘着テープドラムＤ１が送出機構１６に取り付けられる。次に、先に説明した粘着テープの接続方法により、一の粘着テープ１００と他の粘着テープ２００とが接続される。本実施の形態において、封緘装置１２は、１つの送出機構１６しか備えないが、２つの送出機構を備え、一の粘着テープドラムＤ１と他の粘着テープドラムＤ２を同時に取り付けられるようにしてもよい。そのようにすれば、粘着テープの交換作業が容易になる。
【００５２】
粘着テープドラムの交換後、接続された一の粘着テープ１００は、案内経路２０に残された他の粘着テープ２００に続いて封緘機構２２に導かれる。したがって、粘着テープドラムＤを交換しても、再度、粘着テープを案内経路２０に通す必要がなく、交換作業が容易になる。
【００５３】
また、粘着テープドラムＤの交換前後でも、封緘装置１２は、順次、多数の卵パック１０を封緘する。したがって、図１１に示すように、交換作業により接続された粘着テープは、接続テープ３０２による接続部３００も卵パック１０の封緘に用いられる。しかし、接続部３００においても、粘着面が連続しているため、卵パックの封緘には何ら支障がない。
【００５４】
本実施の形態において、接続される粘着テープと接続テープとは、同一の幅寸法を有し、幅方向の位置を一致されているが、一の粘着テープと他の粘着テープとは、幅方向の位置が一致していなくともよい。粘着面が連続していれば、卵パックの封緘に影響をあたえない。すなわち、幅方向の位置に多少のずれが生じても卵パックを封緘することができる。
【００５５】
ところで、粘着テープにより封緘される卵パックでは、卵の使用時に粘着テープが剥がされる。したがって、粘着テープは、卵パックに粘着した部分は剥がれやすい方が望ましい。一方で、パックの封緘を確実にするため、粘着テープの粘着面同士は接着力が強いことが望ましい。
【００５６】
したがって、粘着テープの粘着層は、粘着層同士は強固に粘着し、卵パックの材料である合成樹脂からは容易に剥がれる材料が選択される。よって、粘着テープの粘着層に接着される接続テープの接着層が粘着テープの粘着層と同じ材料であれば、粘着部の接続部は、卵パックから容易に剥がれ、かつ粘着テープ同士を強固に粘着させることができる。
【００５７】
本発明の実施の形態に係る接続方法によれば、粘着テープの接続部は、図１２Ａに示すように、重ね合わせ線Ｍが１本となる。接続テープを粘着テープの基材側（図１２の紙面方向）から接着すると、図１２Ｂに示すように、重ね合わせ線Ｍが２本となる。卵パックのように市場に流通する容器の封緘等では、その美観から重ね合わせ線は少ない方がよい。したがって、本発明の実施の形態による粘着テープの接続方法により接続された粘着テープによれば、美観を損ねることなく、容器の封緘等を行うことができる。
【００５８】
本発明の実施の形態に係る粘着テープの剥離材３１０，３１２は、接続テープ３００の粘着層３０８と接着層３０６の一部とを、それぞれ覆うが、図１３に示すように一枚の剥離材３１４により接続テープ３００の粘着層３０８と接着層３０６の一部とを覆うように設けられていてもよい。そのようにすれば、剥離材を同時に剥離できるので、剥離作業が容易になる。
【００５９】
また、剥離材を接着部のみに設けてもよい。そのようにすれば、不要な剥離材を設けなくてよい。その場合、接続テープの粘着層を粘着テープの基材に粘着させ、異物の粘着を防止できる。または、接続テープの粘着層のみに剥離材を用いてもよい。さらに、剥離材は、図１４に示すように、剥離作業を容易にするめくり部３２０を備えていてもよい。図１３及び図１４において、粘着テープ、接続テープ及び剥離材は、それぞれ厚さ寸法を強調して図示されている。
【００６０】
本発明の実施の形態に係る粘着テープの接続方法では、粘着テープの粘着層の側から接続テープを接着させているが、これに加えて、粘着テープの基材層側から片面の接着テープを補助的に貼り付けてもよい。そのようにすれば、接続部の強度を強くすることができる。この場合に、片面の接着テープはセロハンテープのような透明材料により作製されていてもよい。
【００６１】
粘着テープにより封緘される卵パックでは、卵の使用時に粘着テープが剥がされる。したがって、粘着テープは、卵パックに粘着した部分は剥がれやすい方が望ましい。一方で、パックの封緘を確実にするため、粘着テープの粘着面同士は接着力が強いことが望ましい。
【００６２】
したがって、粘着テープの粘着層は、粘着層同士は強固に粘着し、卵パックの材料である合成樹脂からは容易に剥がれる材料が選択される。よって、粘着テープの粘着層に接着される接続テープの接着層は、粘着テープの粘着層と同じ材料であれば、粘着部の接続部は、卵パックから容易に剥がれ、かつ粘着テープ同士を強固に粘着させることができる。
【００６３】
本発明の実施の形態に係る粘着テープは、矩形の平面形状を有する卵パックの一側部に貼付され、前記一側部に沿って折り返され、前記一側部を挟むように卵パックを封緘する。前記粘着テープは、延在方向に沿って延びる中央の仮想線に対して両側が独立したデザインを有する。
【００６４】
この粘着テープによれば、中央に延びる仮想線に対して両側が独立したデザインを有するため、粘着テープが、その延在方向の中央で折り返され、卵パックを封緘する場合に、デザインの表記された部分で折り返されることがない。これにより、卵パックが市場で流通する際に、粘着テープのデザインを明確に需用者に示すことができる。
【００６５】
本発明の実施の形態における粘着テープ１００は、その延在方向に沿って延びる仮想線１５０を備える。粘着テープは、仮想線１５０の両側（図１５の上下方向）に、それぞれ、独立したデザインを有する。本実施の形態において、粘着テープ１００は、仮想線１５０の両側に「テープを手前に引いてください。」の表記が連続したデザインを有し、各デザインは仮想線１５０の両側で独立した配置とされている。本実施の形態において、デザインは、文字の表記とされているが、各種マーク、キャラクター図等であってもよい。
【００６６】
以上の説明において、説明を明瞭とするべく粘着と接着との用語を区別して使用している。しかし、本発明の実施の形態において、粘着及び接着の用語は、少なくとも、くっつくこと、又はくっつけることを共通に意味し、例えば、粘着と接着の用語を入れ替えた場合であっても、発明の効果に影響を与えない。
【００６７】
今回開示された実施の形態は例示であってこれに制限されるものではない。本発明は上記で説明した範囲ではなく、特許請求の範囲によって示され、特許請求の範囲と均等の意味および範囲でのすべての変更が含まれることが意図される。
【産業上の利用可能性】
【００６８】
本発明は、包装容器の封緘、ラベルの貼付等に用いられる粘着テープの接続に利用することができる。
【符号の説明】
【００６９】
１０  卵パック、
Ｄ１，Ｄ２  粘着テープドラム、
１００，２００  粘着テープ、
１０４，２０４，３０８  粘着層、
１０６，２０６，３０４  基材層、
３００  接続テープ、
３０２ａ  貼付部、
３０２ｂ  延在部、
３１０，３１２  剥離材。
【図１】
2014167065.tif 000003
【図２】
2014167065.tif 000004
【図３】
2014167065.tif 000005
【図４】
2014167065.tif 000006
【図５】
2014167065.tif 000007
【図６】
2014167065.tif 000008
【図７】
2014167065.tif 000009
【図８】
2014167065.tif 000010
【図９】
2014167065.tif 000011
【図１０】
2014167065.tif 000012
【図１１】
2014167065.tif 000013
【図１２】
2014167065.tif 000014
【図１３】
2014167065.tif 000015
【図１４】
2014167065.tif 000016
【図１５】
2014167065.tif 000017